(57)【要約】【課題】マルチキャリア伝送で、空きスロットが非常に少ない状況になっても、キャリアホールにおいて干渉電力の測定を可能とし、測定した干渉電力情報に基づいて、周囲の環境の変化に柔軟に対応して受信状況の向上を図る。【解決手段】マルチキャリア伝送方式で、制御対象となる端末と無線通信を行なう基地局であって、キャリアホール設定部１１４は、データを割り当て得る少なくとも一つのサブキャリアをキャリアホールとし、キャリアホールを特定するキャリアホール情報を作成し、無線送信部１１０は、前記キャリアホールを特定する情報を端末へ送信する。【選択図】図２
2010193526.tif 000002
【特許請求の範囲】
【請求項１】
複数のセルにより構成され、各セルに配置された制御局装置が複数のＯＦＤＭシンボルを含む通信フレームを用いて端末装置へ無線送信を行なうセルラシステムであって、
第一の制御局装置は、隣接するセルに配置される制御局装置から送信される信号の受信状況を前記端末装置に測定させるために、信号を前記ＯＦＤＭシンボルに割り当てるに際し、前記ＯＦＤＭシンボルを構成し信号を割り当て得るサブキャリアと呼ばれるリソース単位のうち、一つ以上の前記リソース単位であって、隣接するセル間の少なくとも一部で異なるように設定されたリソース単位を信号の割り当てを行なわないリソース単位とし、前記信号の割り当てを行なわないリソース単位を含む送信信号を前記端末装置へ向けて送信し、前記端末装置は前記第一の制御局装置から送信された信号を受信することを特徴とするセルラシステム。
【請求項２】
前記信号の割り当てを行なわないリソース単位は、少なくとも前記制御局装置毎に割り振られた番号に基づいて設定されることを特徴とする請求項１記載のセルラシステム。
【請求項３】
前記信号の割り当てを行なわないリソース単位は、前記フレームに割り振られた番号に基づいて設定されることを特徴とする請求項１記載のセルラシステム。
【請求項４】
前記制御局装置は、前記信号の割り当てを行なわないリソース単位の位置を示す情報を前記端末装置へ送信することを特徴とする請求項１から請求項３のいずれかに記載のセルラシステム。
【請求項５】
前記端末装置は、前記第一の制御局装置から無線送信された前記送信信号を受信し、前記第一の制御局装置において信号の割り当てが行われなかったリソース単位における受信状況を測定することにより、前記第一の制御局装置以外の制御局装置から送信された信号の受信状況を測定することを特徴とする請求項１から請求項４のいずれかに記載のセルラシステム。
【請求項６】
前記端末装置は、前記信号の割り当てを行なわないリソース単位における受信状況の測定結果に基づいて前記制御局装置へ通知する受信品質情報を生成することを特徴とする請求項５記載のセルラシステム。
【請求項７】
複数のセルにより構成され、各セルに配置された制御局装置が複数のＯＦＤＭシンボルを含む通信フレームを用いて端末装置へ無線送信を行なうセルラシステムであって、
第一の制御局装置は、隣接するセルに配置される制御局装置であって、同期していない制御局装置から送信される信号の受信状況を前記端末装置に測定させるために、キャリアホールを設定しないことを特徴とするセルラシステム。
【請求項８】
複数のセルにより構成され、各セルに配置された制御局装置が複数のＯＦＤＭシンボルを含む通信フレームを用いて端末装置へ無線送信を行なうセルラシステムにおける制御局装置であって、
隣接するセルに配置される制御局装置から送信される信号の受信状況を前記端末装置に測定させるために、信号を前記ＯＦＤＭシンボルに割り当てるに際し、前記ＯＦＤＭシンボルを構成し信号を割り当て得るサブキャリアと呼ばれるリソース単位のうち、一つ以上の前記リソース単位であって、隣接するセル間の少なくとも一部で異なるように設定されたリソース単位を信号の割り当てを行なわないリソース単位とし、前記信号の割り当てを行なわないリソース単位を含む送信信号を前記端末装置へ向けて送信することを特徴とする制御局装置。
【請求項９】
前記信号の割り当てを行なわないリソース単位を、少なくとも前記制御局装置毎に割り振られた番号に基づいて設定することを特徴とする請求項８記載の制御局装置。
【発明の詳細な説明】
【技術分野】
【０００１】
本発明は、マルチキャリア伝送方式で無線通信を行なうシステムにおいて、干渉電力を測定するセルラシステムおよび制御局装置に関する。
【背景技術】
【０００２】
１セル繰り返しＯＦＤＭ／（ＴＤＭＡ、ＦＤＭＡ）(Orthogonal Frequency Division Multiplexing/Time Division MultipleAccess、FrequencyDivision Multiple Access)は、変調方式としてＯＦＤＭ、アクセス方式としてＴＤＭＡおよびＦＤＭＡを使用し、すべてのセルにおいて同一周波数を用いて通信を行なうシステムである。このように、すべてのセルで同一周波数を用いる場合には、高い周波数利用効率を達成することができる。以下にＯＦＤＭ／（ＴＤＭＡ、ＦＤＭＡ）について簡単に説明する。
【０００３】
図１１は、ＯＦＤＭ／（ＴＤＭＡ、ＦＤＭＡ）２次元のフレーム構成の一例を示す図である。図１１は、縦軸に周波数、横軸に時間を示し、上段にダウンリンクフレーム、下段にアップリンクフレームを示している。図１１において、フレームを構成する四角の１つは、スロットである。スロットは、データ伝送に用いる最小単位であり、複数のＯＦＤＭシンボルから構成されるスロットは周期的に配置される。この周期に従ってスロットを並べたものがフレームである。
【０００４】
図１１は、１フレーム分の構成の一例を示している。スロットは、制御スロット、ランダムスロット、データスロットに分けられる。図１１では、ダウンリンクフレームは、先頭に制御スロットが配置され、その後ろにデータスロットが配置される。アップリンクフレームは、先頭にランダムスロットが配置され、その後ろにデータスロットが配置される。図１１では１フレーム中に制御スロットは時間軸方向に対して１つ、ランダムスロットは３つ、データスロットは８つ配置されているが、システムによってこの数は異なる。また、周波数軸方向へは１２のスロットが配置されているが、この数もシステムによって異なる。制御スロットは、どの端末装置に対してどのデータスロットを割り当てたかを示す情報を含む。ランダムスロットは、データスロットを割り当てられていない状態で端末装置が基地局に対してデータを送信する際に使用する。また、同一時間における周波数軸方向へのスロットの集まりを、周波数チャネルとし、同一周波数における時間軸方向へのスロットの集まりを、時間チャネルとする。
【０００５】
基地局から端末装置に対する通信を行なう場合、基地局は、制御スロット中に通信相手の端末装置に対してダウンリンクのスロットを割り当てた旨の情報を示し、割り当てたスロットに該当端末装置宛の情報を送信する。端末装置から基地局に対して通信を行なう場合、端末装置は、まずランダムスロットを使用してスロットの割り当て要求を基地局へ行なう。このランダムスロットを利用したスロット割り当て要求を基地局が受信したとき、基地局は、制御スロット中にスロット割り当て要求をした端末装置向けにアップリンクのスロットを割り当てた旨の情報を示す。端末装置は、制御スロットにアップリンクのスロット割り当てが行われたことを確認して、データスロットを使用して送信を行なう。このように、ＯＦＤＭ／（ＴＤＭＡ、ＦＤＭＡ）方式は、上述したことを基本に、複数の端末装置が周波数と時間を変えて基地局とのデータ送受信を行なうシステムである。
【０００６】
次に、ＯＦＤＭ／（ＴＤＭＡ、ＦＤＭＡ）に用いる送信回路、受信回路について説明する。図１２は、ＯＦＤＭ／（ＴＤＭＡ、ＦＤＭＡ）に用いる送信回路の概略構成を示すブロック図であり、図１３は、同受信回路の概略構成を示すブロック図である。但し、ここでは、周波数チャネル数を１２、１つの周波数チャネルにおいて伝送されるサブキャリア数を６４とした場合について示している。
【０００７】
図１２に示す送信回路は、マルチプレックス部１０００、誤り訂正符号部１００１‐ａ〜１００１‐ｌ、シリアル／パラレル変換部（Ｓ／Ｐ変換部）１００２‐ａ〜１００２‐ｌ、変調方式決定部１００３、マッピング部１００４、送信電力制御部１００５、ＩＦＦＴ（Inverse Fast Fourier Transform：逆高速フーリエ変換）部１００６、パラレル／シリアル変換部（Ｐ／Ｓ変換部）１００７、ガードインターバル挿入部（ＧＩ挿入部）１００８、デジタル／アナログ変換部（Ｄ／Ａ変換部）１００９、無線送信部１０１０、アンテナ部１０１１を備える。誤り訂正符号部１００１‐ａ〜１００１‐ｌ、シリアル／パラレル変換部（Ｓ／Ｐ変換部）１００２‐ａ〜１００２‐ｌは、周波数チャネル数と同数（ここではａ〜ｌで示す１２）備える。
【０００８】
マルチプレックス部１０００は、制御データや情報データを送信するパケット単位で周波数チャネル数分（ここでは１２）の系列に分離する。即ちこのマルチプレックス部１０００において、制御部（図１２では図示していない）により指定されるＯＦＤＭ／（ＴＤＭＡ、ＦＤＭＡ）のスロットを物理的に指定していることになる。周波数チャネル数分の系列に分離されたデータは、誤り訂正符号部１００１‐ａ〜１００１‐ｌにおいてそれぞれ誤り訂正符号化され、Ｓ／Ｐ変換部１００２‐ａ〜１００２‐ｌにおいてそれぞれ６４系統に分離され、マッピング部１００４で各キャリアに変調が施される。マッピング部１００４では、周波数チャネル毎またはサブキャリア毎に異なる変調方式を用いた変調が施される場合もある。周波数チャネル毎またはサブキャリア毎に用いる変調方式の選択は変調方式決定部１００３において行われる。
【０００９】
変調方式決定部１００３は、受信側における各周波数チャネルまたは各サブキャリアの受信状況に基づいて、変調方式を選択する。受信状況が著しく悪いサブキャリアについては、無伝送（キャリアホール）とすることにより、誤りの発生を防止する手法が用いられることもある。変調方式決定部１００３は、ＯＦＤＭ／（ＴＤＭＡ、ＦＤＭＡ）システムに必須のものではなく、周波数チャネル毎またはサブキャリア毎に異なる変調方式を用いるシステムを構築する場合に必要となる。また、周波数チャネル毎またはサブキャリア毎に異なる変調方式を用いる場合、各周波数チャネルまたは各サブキャリアの変調方式の情報を受信側へ通知する必要があり、データスロット内のデータシンボルの前に変調方式情報通知用のシンボルを設けておかなければならない。このため、変調方式決定部１００３にて決定された変調方式も変調方式情報としてマルチプレックス部１０００へ入力され、以降の処理を通じて情報データと共に送信されることとなる。
【００１０】
マッピング部１００４における変調の後、変調されたデータは、送信電力制御部１００５は、制御部により指定される周波数チャネル毎の送信電力に変換され、ＩＦＦＴ部１００６にてＩＦＦＴ処理が行われる。その後、Ｐ／Ｓ変換部１００７を経由し、ガードインターバル挿入部１００８にてガードインターバルが挿入される。そして、Ｄ／Ａ変換部１００９にてアナログ信号に変換され、無線送信部１０１０にて送信すべき周波数に変換された後、アンテナ部１０１１より送信される。
【００１１】
次に、受信回路について説明する。図１３に示す受信回路は、アンテナ部１１００、無線受信部１１０１、アナログ／デジタル変換部（Ａ／Ｄ変換部）１１０２、同期部１１０３、ガードインターバル除去部（ＧＩ除去部）１１０４と、シリアル／パラレル変換部（Ｓ／Ｐ変換部）１１０５、ＦＦＴ（Fast Fourier Transform：高速フーリエ変換）部１１０６、受信電力測定部１１０７、伝送路推定デマッピング部１１０８、パラレル／シリアル変換部（Ｐ／Ｓ変換部）１１０９‐ａ〜１１０９‐ｌ、誤り訂正復号部１１１０‐ａ〜１１１０‐ｌ、デマルチプレックス部１１１１を備える。
【００１２】
受信回路ではまず、アンテナ部１１００にて受信された信号が、無線受信部１１０１にてＡ／Ｄ変換が可能な周波数帯域まで周波数変換される。Ａ／Ｄ変換部１１０２にてデジタル信号に変換されたデータは、同期部１１０３においてＯＦＤＭのシンボル同期が取られ、ガードインターバル除去部１１０４においてガードインターバルが除去される。その後、Ｓ／Ｐ変換部１１０５において１０２４のデータにパラレル化される。ＦＦＴ部１１０６において１０２４ポイントのＦＦＴが行なわれ、サブキャリア毎の信号に変換される。受信電力測定部１１０７では、サブキャリア毎の受信信号電力が測定される。受信信号電力情報は送信側へフィードバックされ、変調方式決定部１１０３において各周波数チャネルまたは各サブキャリアの変調方式を選択する際に用いられる。また、ＦＦＴ後の信号は、伝搬路推定デマッピング部１１０８に送られ、７６８波のサブキャリアの復調が行なわれる。通常、伝搬路推定は、送信機から受信機に送られる既知の信号を利用することにより行なわれる。また、デマッピングは、送信側から通知された変調方式情報に基づき行われる。その後、１２系統のデータ毎にＰ／Ｓ変換部１１０９‐ａ〜１１０９−ｌに入力される。そして、誤り訂正復号部１１１０‐ａ〜１１１０−ｌにより誤り訂正復号処理が行われ、デマルチプレックス部１１１１に入力される。デマルチプレックス部１１１１において、制御データや情報データに処理され、出力される。
【００１３】
ＯＦＤＭ／（ＴＤＭＡ、ＦＤＭＡ）システムは、すべてのセルにおいて同一周波数を用いて通信を行なうため、高い周波数利用効率を達成可能であるが、隣接するセルから到来する干渉の影響により受信特性が劣化することが考えられる。特開２００３−４６４３７号公報（特許文献１）には、セル間干渉の影響を軽減する技術の一例が開示されている。
【００１４】
図１４は、特開２００３−４６４３７号公報（特許文献１）に開示されている技術のセル構成を示す図である。図１４は、実線で示す６角形のセルを一つのセル領域とし、点線で示す６角形が各セル内に示している。Ｂ０のセルを一例として説明すると、Ｂ０のセルは、基地局から最も遠いエリアはＴｓ１、その次のエリアはＴｓ２、最も近いエリアはＴｓ３としている。Ｔｓ１〜Ｔｓ３は、基地局が通信を行なう時間（時間帯）を表し、Ｔｓ１〜Ｔｓ３で１フレームが構成される。Ｂ０ではＴｓ１中に最も送信電力を高くして通信を行ない、Ｔｓ２、Ｔｓ３へと電力を低くして通信を行なうことを意味する。同様に各セルは、それぞれの時間に応じて送信電力を変えて通信を行なっている。
【００１５】
Ｂ０において、Ｔｓ１中に送信電力を高くして通信を行なっているとき、他の隣接するセルは、送信電力を最も高くして通信を行なう設定になっていないため、Ｂ０は他セルからの干渉が少ない状態で通信することが可能である。Ｂ１〜Ｂ６のセルについても同様に、セル間干渉の影響が軽減された状態での通信を行なうことができる。また、特開２００３−４６４３７号公報（特許文献１）に開示された発明は、各セルにおいて、基地局からの距離に応じて設定された複数エリアにおける送信電力を時間的に変えておくというものであるが、これをＯＦＤＭ／（ＴＤＭＡ、ＦＤＭＡ）システムに適用する場合には、各エリアにおける送信電力を時間的に変えておくのではなく、周波数チャネル毎に変えておくということも可能となる。
【００１６】
一方、基地局からの距離に応じて設定されたあるエリアで高い（低い）電力を有する通信を行なう時間チャネルはセル毎に予め決められているため、サービスが開始された後に新たな基地局が周辺に建てられた場合等に適応的に対応することができない。この点は、隣接セルから到来する干渉量を常時または定期的に測定し、干渉量に応じて時間チャネルの割り当てを変更することにより、周囲の環境の変化にも柔軟に対応することができる。ダウンリンク通信において、このような適応制御を行なう場合、隣接セルから到来する干渉量の測定が端末装置側で必要となるが、これは、自セルにおいて端末装置が割り当てられていないスロット（空きスロット）の電力を測定することにより実現できる。この干渉電力の測定は、希望信号電力の測定と同様、図１３に示す受信電力測定部１１０７において行なうことが可能である。
【特許文献１】特開２００３−４６４３７号公報
【発明の開示】
【発明が解決しようとする課題】
【００１７】
しかしながら、上述の技術では、セル内のトラフィックが増加し、ほとんどすべてのスロットに端末装置が割り当てられ、空きスロットが非常に少ない状況が生じる。このような状況では、端末装置側では、干渉電力の測定を行なうことができず、基地局は、スケジューリング等に用いるための有効な干渉電力情報を得ることができない。従って、周囲の環境の変化に柔軟に対応したチャネル（スロット）の割り当てができないという問題が生じる。
【００１８】
本発明は、このような事情に鑑みてなされたものであり、マルチキャリア伝送で、空きスロットが非常に少ない状況においても、干渉電力の測定を可能とするセルラシステムおよび制御局装置を提供することを目的とする。
【課題を解決するための手段】
【００１９】
（１）本発明に係る送信制御方法は、制御対象となる端末装置へマルチキャリア伝送方式で無線送信を行なう制御局装置の送信制御方法であって、周辺セルでキャリアホールに設定されたサブキャリアとは異なる周波数のサブキャリアをキャリアホールに設定し、無線送信することを特徴としている。
【００２０】
このように、隣接するセル間でキャリアホールを異なる位置（周波数）に配置するので、キャリアホールが設定される位置（周波数）が重ならなくなる。その結果、スロットの空きが少ない状況になっても、隣接するセルからの干渉電力を正確に測定することができる。
【００２１】
（２）また、本発明に係る送信制御方法は、マルチキャリア伝送方式により制御対象となる端末装置へ無線送信を行なう制御局装置の送信制御方法であって、一定の時間長で定められるひとつ以上の時間チャネルと、一定の周波数帯域で定められるひとつ以上の周波数チャネルとによって特定される複数の通信スロットで構成される通信フレームを用い、通信スロット毎にキャリアホールを設定し、無線送信することを特徴としている。
【００２２】
このように、スロット毎にキャリアホールを設定することにより、スロットを割り当てた端末装置から、干渉電力情報を取得することができる。また、空きスロットが非常に少ない状況になっても、スロット内に設定したキャリアホールにおいて干渉電力の測定をすることができる。その結果、測定した干渉電力情報に基づいて、周囲の環境の変化に柔軟に対応したスロットの割り当てが可能となる。
【００２３】
（３）また、本発明に係る送信制御方法において、前記通信スロット毎に、周辺セルでキャリアホールに設定されたサブキャリアとは異なる周波数のサブキャリアをキャリアホールに設定し、無線送信することを特徴としている。
【００２４】
このように、隣接するセル間でキャリアホールを異なる位置（周波数）に配置するので、キャリアホールが設定される位置（周波数）が重ならないため、スロットの空きが少ない状況になっても、隣接するセルからの干渉電力を正確に測定することができる。
【００２５】
（４）また、本発明に係る送信制御方法において、前記キャリアホールは、制御局装置から送信された信号を端末装置において受信した際に、受信状況が悪いと判断されたサブキャリアに設定することを特徴としている。
【００２６】
このように、受信状況が好ましくないサブキャリアをキャリアホールに設定し、干渉電力を測定することによって、データ伝送量を減らすことなく、干渉電力を測定して受信状況を改善することが可能となる。
【００２７】
（５）また、本発明に係る送信制御方法において、前記キャリアホールの位置を示す情報を前記端末装置へ送信することを特徴としている。
【００２８】
このように、キャリアホールの位置を示す情報を端末装置に通知することによって、端末装置がキャリアホールの位置を把握することができる。その結果、キャリアホールの受信電力を測定し、干渉電力情報として制御局装置へ通知することが可能となる。
【００２９】
（６）また、本発明に係る送信制御方法において、前記通信スロット毎に、複数の端末装置から干渉電力情報を受信し、前記通信スロット毎に、複数の干渉電力情報を平均して平均干渉電力値を算出することを特徴としている。
【００３０】
このように、スロット毎に複数の端末装置から、端末装置が測定した干渉電力情報を収集し、複数の干渉電力情報を平均するので、正確な干渉電力情報を取得することが可能になり、精度の高い受信状況に基づいて、スロットの割り当てを行なうことができる。
【００３１】
（７）また、本発明に係る送信制御方法は、前記複数の端末装置それぞれの距離情報に基づいて、前記複数の干渉電力情報へ重み付けし、前記重み付けされた複数の干渉電力情報を平均することを特徴としている。
【００３２】
このように、干渉電力を測定した端末装置が配置されている距離情報を用いて、干渉電力情報に重み付けするので、端末装置の置かれている場所を反映した干渉電力情報を取得することができる。
【００３３】
（８）また、本発明に係る送信制御方法において、前記距離情報は、前記複数の端末装置それぞれへの送信電力の大きさであることを特徴としている。
【００３４】
このように、端末装置との距離情報を送信電力の大きさとすることによって、端末装置の位置の違いにより生じる干渉電力情報のレベル差を補正することができる。
【００３５】
（９）また、本発明に係る送信制御方法において、前記複数の干渉電力情報のうち、前記通信スロット毎に所定の数の干渉電力情報を選択して平均することを特徴としている。
【００３６】
このように、複数の干渉電力情報のうち、所定の数の干渉電力情報を選択して平均するので、シャドウイングや距離の影響などにより正確に干渉電力を測定できない端末装置の測定結果を除外することができる。
【００３７】
（１０）また、本発明に係る送信制御方法において、前記複数の端末装置それぞれから位置情報を受信し、前記平均干渉電力算出部は、前記複数の干渉電力情報を前記位置情報に対応づけて分類し、分類した干渉電力情報を平均して干渉電力値を算出することを特徴としている。
【００３８】
このように、複数の干渉電力情報を位置情報に対応づけて分類し、分類した干渉電力情報を平均して干渉電力値を算出するので、端末装置との位置関係に基づいて、特定の方向から到来する干渉電力をスロット毎に算出することができる。
【００３９】
（１１）また、本発明に係る送信制御方法において、前記位置情報は、前記複数の端末装置それぞれがセルサーチの際に受信した複数の制御局装置の識別子であり、複数の端末装置のうち、識別子が一致する端末装置によって測定された干渉電力情報を平均することを特徴としている。
【００４０】
このように、隣接するセルの制御局装置の識別子を用いることによって、同じ方向に存在する端末装置同士を分類することが可能となり、端末装置においても、セルサーチの結果を用いることになるため、処理の簡略化を図ることができる。
【００４１】
（１２）また、本発明に係る送信制御方法は、前記制御局装置が指向性アンテナを用い、前記セル内を複数のセクタに分割して無線通信を行ない、同じセクタに配置される端末装置から受信した干渉電力情報を前記通信スロット毎に平均することを特徴としている。
【００４２】
このように、指向性アンテナを用いる場合は、セルを分割するセクタを用いて、端末装置が存在する方向を把握し、ある方向から到来する干渉電力をスロット毎に算出することができる。
【００４３】
（１３）  また、本発明に係る端末送信方法は、マルチキャリア伝送方式により制御局装置から送信された信号を受信する端末装置の端末側送信方法であって、前記制御局装置からキャリアホールを特定する情報を受信し、前記キャリアホールにおける受信電力を測定し、測定した受信電力の平均値を算出し、前記受信電力の平均値を干渉電力情報として前記制御局装置へ送信することを特徴としている。
【００４４】
このように、制御局装置からキャリアホールを特定する情報を受信するので、キャリアホールに設定されたサブキャリアの位置（周波数）を特定してキャリアホールの干渉電力を測定することができる。これにより、空きスロットが少ない状況であっても干渉電力の測定を可能とし、制御局装置において、周囲の環境の変化に柔軟に対応したスロットの割り当てが可能となる。
【００４５】
（１４）また、本発明に係る端末送信方法において、前記制御局装置が複数の端末装置それぞれへ通信スロットを割り当てたスロット割り当て情報を受信し、前記スロット割り当て情報に基づいて、どの端末装置に対しても割り当てられてない通信スロットにおいて、複数のサブキャリアそれぞれの受信電力を測定し、またはいずれかの端末装置に対して割り当てられている通信スロットにおいて、キャリアホールに設定されたサブキャリアの受信電力を測定し、通信スロット毎に測定した受信電力の平均値を算出し、前記受信電力の平均値を干渉電力情報として前記制御局装置へ送信することを特徴としている。
【００４６】
このように、どの端末装置に対しても割り当てられてない通信スロットにおいて、複数のサブキャリアそれぞれの受信電力を測定し、またはいずれかの端末装置に対して割り当てられている通信スロットにおいて、キャリアホールに設定されたサブキャリアの受信電力を測定するので、空きスロットが存在する場合はその空きスロットで受信電力を測定する一方、空きスロットが少ないかまたは存在しない場合は、いずれかの端末装置に既に割り当てられている通信スロットに強制的に設定されたキャリアホールで受信電力を測定することが可能となる。これにより、空きスロットが少ない状況となっても、より精度の高い干渉電力情報を制御局装置に集めることができ、受信状況をよりよくすることが可能となる。
【００４７】
（１５）また、本発明に係る端末送信方法において、前記制御局装置の制御範囲内における位置を示す位置情報を前記制御局装置へ送信することを特徴としている。
【００４８】
このように、端末装置は、位置情報を制御局装置へ通知することによって、制御局装置へ端末装置が存在する位置情報を通知することが可能となり、制御局装置は、端末装置の位置情報を用いて、干渉電力情報を利用することができるため、受信状況を向上させることができる。
【００４９】
（１６）また、本発明に係る端末送信方法において、前記位置情報は、セルサーチの際に受信した少なくとも一つの制御局装置の識別子であることを特徴としている。
【００５０】
このように、端末装置は、セルサーチの結果を用いることになるため、処理の簡略化を図ることができる。また、制御局装置は、隣接するセルの制御局装置の識別子を用いることによって、同じ方向に存在する端末装置同士を分類することが可能となり、より柔軟に受信状況の改善が可能となる。
【００５１】
（１７）また、本発明に係る干渉電力方法は、マルチキャリア伝送方式で、制御局装置とその制御対象となる端末装置との間で無線通信を行なう場合干渉電力測定方法であって、前記制御局装置において、データを割り当て得る少なくとも一つのサブキャリアをキャリアホールへ設定し、設定されたキャリアホールを特定する情報を前記端末装置へ送信することを特徴としている。
【００５２】
このように、データの送信に使用し得るサブキャリアの少なくとも一つを、強制的にキャリアホールとするので、空きスロットが非常に少ない状況になっても、キャリアホールにおいて干渉電力の測定をすることができる。その結果、測定した干渉電力情報に基づいて、周囲の環境の変化に柔軟に対応したスロットの割り当てが可能となる。
【００５３】
（１８）また、本発明に係る干渉電力方法は、マルチキャリア伝送方式で、制御局装置とその制御対象となる端末装置との間で無線通信を行なう場合干渉電力測定方法であって、前記端末装置において、前記制御局装置から、データを割り当て得る少なくとも一つのサブキャリアに設定されたキャリアホールを特定する情報を受信し、前記キャリアホールにおける受信電力を測定し、測定した受信電力の平均値を算出し、前記受信電力の平均値を干渉電力情報として前記制御局装置へ送信することを特徴としている。
【００５４】
このように、制御局装置からキャリアホールを特定する情報を受信するので、キャリアホールに設定されたサブキャリアの位置（周波数）を特定してキャリアホールの干渉電力を測定することができる。これにより、空きスロットが少ない状況であっても干渉電力の測定を可能とし、制御局装置において、周囲の環境の変化に柔軟に対応したスロットの割り当てが可能となる。
【００５５】
（１９）また、本発明に係る制御局装置は、一定の時間長で定められるひとつ以上の時間チャネルと、一定の周波数帯域で定められるひとつ以上の周波数チャネルとによって特定される複数の通信スロットで構成される通信フレームをマルチキャリア伝送方式により制御対象となる端末装置へ無線送信を行なう制御局装置であって、前記通信スロット毎にキャリアホールを設定するキャリアパターン設定部を備えることを特徴としている。
【００５６】
このように、スロット毎にキャリアホールを設定することにより、スロットを割り当てた端末装置から、干渉電力情報を取得することができる。また、空きスロットが非常に少ない状況になっても、スロット内に設定したキャリアホールにおいて干渉電力の測定をすることができる。その結果、測定した干渉電力情報に基づいて、周囲の環境の変化に柔軟に対応したスロットの割り当てが可能となる。
【００５７】
（２０）また、本発明に係る端末装置は、マルチキャリア伝送方式により制御局装置から送信された信号を受信する端末装置であって、前記制御局装置からキャリアホールを特定する情報を受信する端末側受信部と、前記キャリアホールにおける受信電力を測定し、測定した受信電力の平均値を干渉電力情報として算出する受信電力測定部と、前記干渉電力情報を前記制御局装置へ送信する送信部と、を備えることを特徴としている。
【００５８】
このように、制御局装置からキャリアホールを特定する情報を受信するので、キャリアホールに設定されたサブキャリアの位置（周波数）を特定してキャリアホールの干渉電力を測定することができる。これにより、空きスロットが少ない状況であっても干渉電力の測定を可能とし、制御局装置において、周囲の環境の変化に柔軟に対応したスロットの割り当てが可能となる。
【発明の効果】
【００５９】
本発明によれば、マルチキャリア伝送で、空きスロットが非常に少ない状況においても、干渉電力の測定が可能となる。
【発明を実施するための最良の形態】
【００６０】
次に、本発明の実施の形態について、図面を参照しながら説明する。なお、以下に説明する実施形態は、本発明の一例に過ぎず、これらに限定されるものではない。
【００６１】
本発明では、制御局装置は、データを割り当て得る少なくとも一つのサブキャリアをキャリアホールに設定し、キャリアホールを特定する情報を端末装置へ通知し、そして、端末装置がキャリアホールにおける受信電力を測定する。そして、制御局装置は、端末装置から干渉電力情報を受信する。あるいは、制御局装置は、複数のサブキャリアのうち予めデータを割り当てないことが決められているサブキャリアの周波数帯域で測定した隣接セルからの干渉電力を示す干渉電力情報を、前記端末装置から受信する。これらにより、スロットの空きの少ない状況であっても干渉電力の測定を可能とするものである。
【００６２】
制御局装置は、無線通信を行なう端末装置を制御する。制御局装置は、無線通信の基地局、無線ＬＡＮ（Local Area Network）のアクセスポイントを含む。
【００６３】
端末装置は、制御局装置の制御のもとで、無線通信を行なう。端末装置は、固定端末装置、移動端末装置を問わず、セルラシステムにおける移動局、無線ＬＡＮシステムにおけるステーションを含む。
【００６４】
マルチキャリア伝送は、データを割り当てる複数のサブキャリアから構成されるキャリアを用いるものであり、サブキャリア毎の符号化・送信電力の変更を可能にする複数のサブキャリアから構成されるキャリア（周波数帯域）を用いてデータを伝送する。
【００６５】
キャリアホールは、データを割り当てないサブキャリアをいう。また、通信スロットは、データ伝送に用いる最小単位であり、一定の時間長で定められるひとつ以上の時間チャネルと、一定の周波数帯域で定められるひとつ以上の周波数チャネルとによって特定される。通信スロットは、スロットとも記す。また、通信フレームは、複数の通信スロットにより構成される。通信フレームは、フレームとも記す。
【００６６】
なお、以下の実施形態では、１セル繰り返しＯＦＤＭ／（ＴＤＭＡ、ＦＤＭＡ）システムにおける無線通信について本発明を適用し、制御局装置としての基地局と、端末装置（移動局）とが無線通信を行なう場合を例にとって説明する。しかしながら、本発明は、これらの無線通信の適用に限られるわけではなく、制御局装置としてのアクセスポイントが端末装置としてのステーションを制御して無線通信を実施する場合、例えば、無線ＬＡＮなどにも適用することができる。
【００６７】
（第１の実施形態）
第１の実施形態は、セル内のトラフィックが増加し、空きスロットが非常に少ない状況においても、各端末装置が割り当てられているスロットにおいて各端末装置が受ける干渉電力を測定する場合を説明する。
【００６８】
図１は、本発明の実施形態に係る基地局がキャリアホールを設定したシンボル構成の一例を示す図である。図１の下段は、ＯＦＤＭシンボルを構成する、ダウンリンク通信の２つのフレームを示す。また、図１上段は、２つのフレームそれぞれについて、フレームの先頭データスロットと２番目のデータスロットの先頭シンボルについてサブキャリアの配置を示している。なお、他のシンボル、並びに、他のデータスロットについても同様のサブキャリア配置となっているものとする。
【００６９】
図１に示すシンボル構成は、基地局から端末装置へのダウンリンク通信において、１周波数チャネル（６４サブキャリア）当たり８サブキャリア（図１に矢印にて指し示してあるサブキャリア位置）がキャリアホールとして設定されている。また、フレーム内の各スロットは、同一のパターンでキャリアホールが設定され、各フレームは、一つ前に伝送されるフレームとは異なるサブキャリア位置へキャリアホールを設定するパターンを用いて、キャリアホールが配置されている。図１では、基地局は、（式１）を満たすｎが特定するサブキャリア位置をキャリアホールとして設定している。
（ｎ＋ｘ＋ｂ）ｍｏｄ８＝０      （式１）
ここで、ｎは、１周波数チャネルを構成するサブキャリアの番号であり、６４個のサブキャリアのいずれかを特定する。図１に示すように、各周波数チャネル中の各サブキャリアには、あらかじめ０から６３までの整数が振られているものとする。ｘは、伝送するフレームが何フレーム目かを表すフレーム番号であり、ｘ≧１の整数である。ｘの値は、ある一定時間経過する（一定数のフレームの伝送が行われる）と再び１にリセットされるものとし、さらにすべての基地局で共通の値が用いられるものとする。ｂは、あらかじめ各基地局に割り振られた番号であり、隣り合う基地局では必ず差が８（図１では、８サブキャリア毎に１つのキャリアホールを設定しているため）未満の異なる番号であるものとする。
【００７０】
このようにｂの値を隣り合う基地局において異なる値とすることにより、各基地局において設定されるキャリアホールも異なるサブキャリア位置とすることができる。従って、（式１）を満たすｎがサブキャリア番号として割り当てられているサブキャリアの位置をキャリアホールとすることにより、８サブキャリア当たり１つのキャリアホールをフレーム毎および隣接する基地局毎にずれた位置に配置することができる。なお、（式１）は、８サブキャリア毎にキャリアホールを設定する例を示しているが、これに限られるわけではない。
【００７１】
キャリアホールが設定された信号を受信した端末装置では、ＦＦＴ後に得られる周波数領域の信号について、キャリアホールとなっているサブキャリア位置における受信電力の測定を行なう。そして、１周波数チャネル当たり８つ配置されたキャリアホールにおける受信電力を平均し、この平均値をセル間の干渉電力情報とする。このように測定された干渉電力情報を端末装置から基地局へ通知することにより、該当スロットに割り当てられた端末装置が受ける干渉量を、基地局において把握することができる。
【００７２】
このように、第１の実施形態は、ダウンリンク伝送におけるシンボル内のサブキャリアを、（式１）で表されるあらかじめ決められたパターンに基づきキャリアホールに設定・伝送し、キャリアホールに設定されたサブキャリア位置における電力を、端末装置において測定することにより、隣接セルから到来する干渉量の推定を行なう手法である。このようなキャリアホールを利用した干渉電力の測定は、キャリアホールに設定されたサブキャリアは無伝送となるため自セルの信号が含まれず、該当サブキャリア（キャリアホール）の位置には干渉成分のみが観測されるために可能となる手法である。
【００７３】
次に、第１の実施形態における基地局並びに端末装置の構成を説明する。図２は、第１の実施形態に係る基地局の概略構成の一例を示すブロック図である。図３は、第１の実施形態に係る端末装置の概略構成の一例を示すブロック図である。
【００７４】
図２に示す基地局は、マルチプレックス部１００、誤り訂正符号部１０１‐ａ〜１０１‐ｌ、シリアル／パラレル変換部（Ｓ／Ｐ変換部）１０２‐ａ〜１０２‐ｌ、変調方式決定部１０３、マッピング部１０４、送信電力制御部１０５、ＩＦＦＴ部１０６、パラレル／シリアル変換部（Ｐ／Ｓ変換部）１０７、ガードインターバル挿入部（ＧＩ挿入部）１０８、デジタル／アナログ変換部（Ｄ／Ａ変換部）１０９、無線送信部（送信部）１１０、アンテナ部１１１、無線受信部（受信部）１１２、アップリンク受信機１１３、キャリアホール設定部１１４、スロット割り当て部１１５を備える。誤り訂正符号部１０１‐ａ〜１０１‐ｌ、Ｓ／Ｐ変換部１０２‐ａ〜１０２‐ｌは、周波数チャネル数と同数（ここではａ〜ｌで示す１２）備える。
【００７５】
マルチプレックス部１００は、制御データや情報データを送信するパケット単位で周波数チャネル数分（ここでは１２）の系列に分離し、誤り訂正符号部１０１‐ａ〜１０１‐ｌは、分離されたデータそれぞれを誤り訂正符号化し、Ｓ／Ｐ変換部１０２‐ａ〜１０２‐ｌは、誤り訂正符号化されたデータを６４系統に分離する。
【００７６】
変調方式決定部１０３は、端末装置側受信電力情報とキャリアホールパターンとを用いて、変調方式情報を作成する。第１の実施形態では、変調方式決定部１０３は、端末装置側の受信電力情報を用いてデータを割り当てるサブキャリアについて変調方式を選択し、キャリアホールパターンを用いてキャリアホールとするサブキャリアにはキャリアホールであることを設定する変調方式情報を作成する。
【００７７】
マッピング部１０４は、変調方式情報に基づいて、サブキャリア毎に変調を施す。
【００７８】
送信電力制御部１０５は、変調されたサブキャリアを、送信電力制御情報に基づいて、定められた送信電力に変換する。送信電力制御情報は、予め制御部（図２に図示せず）によって作成される。制御部は、ＣＰＵ（Central Processing Unit）の制御のもとで実行
されるモジュールである。ＩＦＦＴ部１０６は、変換されたデータをＩＦＦＴ処理し、Ｐ／Ｓ変換部１０７は、データをシリアル変換し、ＧＩ挿入部１０８は、ガードインターバルを挿入し、Ｄ／Ａ変換部１０９は、データをアナログ信号に変換する。
【００７９】
無線送信部１１０は、アンテナ部１１１を介して、信号（制御信号、データ）を送信する。
【００８０】
無線受信部１１２は、アンテナ部１１１を介して、各端末装置から送信される信号（制御信号、データ）を受信する。
【００８１】
アップリンク受信機１１３は、無線受信部１１２が受信した信号を変換処理（復調・復号等）し、情報データと端末装置毎の干渉電力情報、端末装置側の受信電力情報を取り出す。
【００８２】
キャリアホール設定部１１４は、データを割り当て得る少なくとも一つのサブキャリアをキャリアホールとする。すなわち、キャリアホール設定部１１４は、キャリアホールとするサブキャリアの位置を設定し、キャリアホールに設定したサブキャリアを特定するキャリアホールパターンを作成する。この実施形態では、キャリアホール設定部１１４は、（式１）を用いて、キャリアホールを設定する。キャリアホール設定部１１４は、「データを割り当て得る少なくとも一つのサブキャリア」、すなわち、データの送信に使用するサブキャリアの少なくとも一つを、強制的にキャリアホールとする。これにより、キャリアホールは、データを割り当て得るサブキャリアへ強制的に設定される。
【００８３】
また、第１の実施形態では、キャリアホール設定部１１４は、（式１）を用いて、隣接するセルでキャリアホールに設定されたサブキャリアとは異なる周波数のサブキャリアをキャリアホールに設定し、データを割り当て得る複数のサブキャリアのうちキャリアホールに設定されたサブキャリアを特定するキャリアホールパターンを作成する。作成したキャリアホールパターンは、変調方式設定部１０３へ出力され、変調方式情報へ組み込まれる。
【００８４】
スロット割り当て部１１５は、アップリンク受信機１１３から入力される端末装置側の受信電力情報と、他端末への割り当て状況や送信を行なう情報データ量に基づいて、各端末装置が使用するスロット割り当てを決定し、スロット割り当て情報を作成する。
【００８５】
次に、端末装置について説明する。図３に示す端末装置は、アンテナ部２００、無線受信部（端末装置側受信部）２０１、アナログ／デジタル変換部（Ａ／Ｄ変換部）２０２、同期部２０３、ガードインターバル除去部（ＧＩ除去部）２０４と、シリアル／パラレル変換部（Ｓ／Ｐ変換部）２０５、ＦＦＴ部２０６、受信電力測定部２０７、伝送路推定デマッピング部２０８、パラレル／シリアル変換部（Ｐ／Ｓ変換部）２０９‐ａ〜２０９‐ｌ、誤り訂正復号部２１０‐ａ〜２１０‐ｌ、デマルチプレックス部２１１、アップリンク送信機２１２、無線送信部（端末装置側送信部）２１３、制御部２１４を備える。Ｐ／Ｓ変換部２０９‐ａ〜２０９‐ｌ、誤り訂正復号部２１０‐ａ〜２１０‐ｌは、周波数チャネル数と同数（ここではａ〜ｌで示す１２）備える。
【００８６】
無線受信部（端末装置側受信部）２０１は、アンテナ部２００を介して、基地局から送信される信号（制御信号、データ）を受信する。
【００８７】
Ａ／Ｄ変換部２０２は、信号をデジタル信号に変換し、同期部２０３は、ＯＦＤＭのシンボル同期を取り、ＧＩ除去部２０４は、ガードインターバルを除去し、Ｓ／Ｐ変換部２０５は、１０２４のデータにパラレル化する。ＦＦＴ部２０６は、１０２４ポイントのＦＦＴを行ない、サブキャリア毎の信号に変換する。
【００８８】
受信電力測定部２０７は、キャリアホールパターンに基づいて、キャリアホールに設定されているサブキャリアの受信電力を測定し、測定した受信電力の平均値を干渉電力情報として算出する。接続先の基地局では、キャリアホールに設定されているサブキャリアについて、送信電力を零とするため、キャリアホールの受信電力は、隣接セルからの干渉電力となる。
【００８９】
伝搬路推定デマッピング部２０８は、ＦＦＴ処理された７６８波のサブキャリアを復調する。Ｐ／Ｓ変換部２０９‐ａ〜２０９−ｌは、１２系統のデータ毎に変換し、誤り訂正復号部２１０‐ａ〜２１０−ｌは、誤り訂正復号処理を行なう。
【００９０】
デマルチプレックス部２１１は、誤り訂正されたデータを制御データや情報データに処理することに加え、キャリアホールパターン（変調方式情報に含まれている場合もある）を受信電力測定部２０７へ出力する。
【００９１】
アップリンク送信機２１２は、端末装置から送信する情報を、送信用の信号へ変換処理（符号化、変調等）し、変換処理した信号を、無線送信部２１３へ出力する。
【００９２】
無線送信部２１３は、アンテナを介して、信号（制御信号、データ）を基地局へ送信する。
【００９３】
制御部２１４は、制御データを入力し、制御データに含まれるスロット割り当て情報に基づいて、自己の端末装置が割り当てられたスロットの情報を検出する。検出した情報は、受信電力測定部２０７へ出力される。
【００９４】
次に、第１の実施形態の干渉電力測定の動作を説明する。図４は、第１の実施形態における干渉電力測定の動作の一例を示すフローチャートである。フローチャートは、左側に基地局側処理を示し、右側に端末装置側処理を示し、矢印は、基地局と端末装置との間で情報が送受信される様子を示す（他の図面のフローチャートも同様の形式をとる）。
【００９５】
まず、基地局は、端末装置へ制御信号を伝送する（ステップＳ１００）。制御信号は、セル内のすべての端末装置が受信できるようにあらかじめ決められた全サブキャリア共通の変調方式によって変調された信号である。次に、基地局は、キャリアホールに設定するサブキャリア番号を決定する（ステップＳ１０１）。具体的には、キャリアホール設定部１１４は、（式１）を満たすｎを求め、キャリアホールパターンを作成し、作成したキャリアホールパターンを変調方式決定部１０３へ受け渡す。次に、変調方式決定部１０３は、キャリアホールパターンに基づいて、ｎに対応するサブキャリア番号が割り当てられているサブキャリアをキャリアホールに設定し、さらにキャリアホール以外のサブキャリアの変調方式を決定し、変調方式情報を作成する（ステップＳ１０２）。このようにして作成された変調方式情報は、キャリアホールの位置を示すキャリアホール情報と、変調方式とを含む。変調方式情報は、キャリアホールに設定されたサブキャリアに特定の記号（マーク）を付す等、予め端末装置との間で取り決めた手法で、変調方式情報の中にキャリアホールを特定する。次いで、各サブキャリアは、変調方式情報を基に変調され（ステップＳ１０３）、各サブキャリアの変調方式を受信側へ通知するために必要な変調方式情報がデータへ付加され、データが無線送信部１１０から端末装置へ送信される（ステップＳ１０４）。
【００９６】
端末装置は、まず、送信された制御信号を受信し、スロット割り当て情報を取得する（ステップＳ１１０）。また、端末装置は、その後送信されるデータを受信する（ステップＳ１１１）。データは、付加された変調方式情報を基に復調が行われる（ステップＳ１１２）。次に、端末装置の受信電力測定部２０７は、変調方式情報に含まれているキャリアホール情報からキャリアホールに設定されているサブキャリアの位置を特定し、キャリアホールに設定されたサブキャリアの受信電力（干渉電力）を測定する。また、受信電力測定部２０７は、データが割り当てられているサブキャリア（キャリアホールに設定されていないサブキャリア）について、受信電力を測定して受信電力情報を算出する（ステップＳ１１３）。
【００９７】
次に、受信電力測定部２０７は、１周波数チャネル当たりに８つ設けられたキャリアホールにおける受信電力を平均して平均値を算出し、算出した平均値を、該当スロットに割り当てられた端末装置が受ける該当スロットにおけるセル間の干渉電力情報とする（ステップＳ１１４）。アップリンク送信機２１２は、受信電力情報と干渉電力情報とを、送信用の信号へ変換処理し、無線送信部２１３から基地局へ送信する（ステップＳ１１５）。
【００９８】
基地局の無線受信部１１２は、変換された信号を受信し、アップリンク受信機１１３は、受信した信号を変換処理し、受信電力情報と干渉電力情報とを取得する（ステップＳ１０５）。
【００９９】
このようにして、基地局は、１フレームに含まれる複数のスロットそれぞれについて、スロットを割り当てられた端末装置から干渉電力情報を取得することができる。基地局が取得した干渉電力情報は、次のように用いられる。スロット割り当て部１１５は、取得した複数の干渉電力情報を用いて隣接セルの影響を考慮して、スロットのスケジューリング等を実施する。また、スロット割り当て部１１５は、複数の端末装置それぞれから、割り当てられたスロットについて、干渉電力情報と共に、各サブキャリアの受信電力情報を取得する。取得した各サブキャリアの受信電力情報は次フレームを伝送する際の、各サブキャリアの変調方式の決定等に用いられる。以上の手順により、複数のサブキャリアをキャリアホールに設定し、設定されたキャリアホールによって隣接セルから到来する干渉の電力を測定することができる。
【０１００】
このように、基地局がデータを割り付けうるサブキャリアへキャリアホールを強制的に設定することによって、キャリアホールにおける干渉電力情報の測定が可能となる。従って、基地局は、空きスロットが非常に少ない状況になっても、干渉電力情報を取得し、周囲の環境の変化に柔軟に対応したスロットの割り当てが可能となる。
【０１０１】
なお、あらかじめ決められたパターンによりキャリアホールを設定する場合に、図１に示すキャリアホール設定パターンではなく、別のパターンによるキャリアホールの設定を行なっても同様の干渉電力の測定を行なうことが可能である。この場合、図１に示すように、所定の間隔を空けてキャリアホールを設定することにより、より正確な干渉電力を測定することができる。これは、隣接するサブキャリアの受信電力は相関が高くなるため、キャリアホールをまとめて設けた場合には、フェージングの影響により、干渉電力が非常に高く測定される場合や、逆に非常に低く測定される場合があり、該当スロットが平均的に受ける干渉の影響を正しく評価することができないためである。これに対し、図１に示すように、ある間隔でキャリアホールを設定する場合にも、フェージングの影響により干渉電力が高く測定されるキャリアホールと低く測定されるキャリアホールが存在するが、これらを平均することにより、該当スロットにおいて測定端末装置が受ける干渉電力を、より正確に求めることができる。
【０１０２】
また、端末装置において複数のアンテナを用いたダイバーシチ受信を行なう場合には、アンテナ毎に異なる受信電力を平均した後、基地局へ報告する構成とする。さらにこれとは別に、各アンテナにおいてキャリアホール毎に観測された干渉電力のうち、最も大きい値をキャリアホール毎に選択し平均した後、基地局に報告する構成としてもよい。このような構成とすることにより、フェージングの影響により干渉電力が低く見積もられることを回避することができる。
【０１０３】
また、キャリアホール設定部１１４は、（式１）を用い、１つのフレーム内では、スロット毎に同じキャリアホールパターンを作成したが、スロット毎に異なるキャリアホールパターンを作成してもよい。キャリアホール設定部１１４は、各周波数チャネル内の相対的な位置が異なるサブキャリアへキャリアホールを設定することもできるし、各時間チャネル内の相対的な位置が異なるサブキャリアにキャリアホールを設定することもできる。
【０１０４】
さらに、以上の説明では、基地局を送信側、端末装置を受信側として説明したが、本発明はこれに限定されるわけではない。例えば、基地局に受信電力測定部を設け、端末装置にキャリアホール設定部を設ける構成を採る。そして、基地局からどのサブキャリアをキャリアホールとすべきかを示すリクエスト情報を端末装置に送信し、端末装置でキャリアホールを設定してアップリンク通信を行ない、基地局ではキャリアホールにおいて干渉電力を測定するという形態を採ることも可能である。
【０１０５】
また、第１の実施形態を、無線ＬＡＮを用いる通信に適用する場合は、隣接するセルのキャリアホールパターンを考慮する必要はない。制御局装置は、データを割り当て得るサブキャリアへ強制的に設定するキャリアホール設定部を備えていることによって、本発明を適用することが可能となる。
【０１０６】
（第２の実施形態）
第２の実施形態では、１つのスロットにおける干渉電力を複数の端末装置が測定し、各端末装置において測定された干渉電力情報を基地局に通知する場合について説明する。
【０１０７】
図５は、第１の実施形態に係る基地局の概略構成の一例を示すブロック図である。基地局は、図３に示した構成に加え、切り替えスイッチ３１６、重み付け部３１７、干渉電力算出部３１８が追加された構成となっている。また、キャリアホール設定部３１４には、機能が追加されている。
【０１０８】
キャリアホール設定部３１４は、図２で説明した機能に加え、作成したキャリアホールパターンを切り替えスイッチ３１６へ出力する。また、キャリアホール設定部３１４は、第１の実施形態と同様に、（式１）を用いて、キャリアホールパターンを作成することを前提とする。
【０１０９】
切り替えスイッチ３１６は、変調方式決定部１０３が作成する変調方式情報とキャリアホール設定部３１４が作成するキャリアホールパターンとのいずれかを選択してマルチプレックス部１００へ受け渡す。切り替えスイッチ３１６は、マルチプレックス部１００へ入力されるデータとして、制御データが入力される場合はキャリアホールパターンを選択し、情報データが入力される場合は、変調方式情報を選択する。すなわち、切り替えスイッチ３１６は、基地局から端末装置へ送信するデータによって、制御データの送信時にはキャリアホールパターンを選択し、情報データの送信時には各サブキャリアの変調方式情報を選択してマルチプレックス部１００へ受け渡す。
【０１１０】
重み付け部３１７は、複数の端末装置から送信された干渉電力情報を、端末装置に関する所定の情報を用いて重み付けする。所定の情報には、各端末装置と基地局との距離情報、各端末装置の位置情報等が含まれる。第２の実施形態では、重み付け部３１７は、距離情報に応じた重み付けを行なう場合を説明する。具体的には、重み付け部３１７は、１周波数チャネル当たりに基地局が送信することができる最大送信電力Ｐｍａｘと各端末装置への１周波数チャネル当たりのダウンリンク伝送に要する送信電力Ｐｉ（ｉは端末装置番号：ｉ＝１、２、…、端末装置数）の比（Ｐｍａｘ／Ｐｉ）を、それぞれ測定された干渉電力情報に乗算する。但し、基地局から各端末装置へのダウンリンク伝送では、端末における受信電力が一定となるように送信電力制御が行なわれるものとする。
【０１１１】
重み付けは、セル内の各端末装置へのダウンリンク伝送において正しく送信電力制御が行われている場合、セルエッジ付近に位置する（ダウンリンク伝送に要する送信電力が最大送信電力に近い）端末装置が報告した干渉電力情報には１に近い値の重み（ほぼ重みなし）が乗算され、逆に、基地局周辺に位置する（ダウンリンク伝送に要する送信電力は最大送信電力よりも非常に低い）端末装置が報告した干渉電力情報には非常に大きい値の重みが乗算されることとなる。隣接セルのダウンリンク伝送による干渉は、通常、セルエッジ付近に位置する端末装置においては大きく観測されるが、干渉源（隣接セルの基地局）との距離が離れている自セルの基地局周辺ではセルエッジ付近ほど大きくは観測されない。しかし、自セルの基地局周辺に位置する端末装置にて干渉が観測されない（または非常に弱い）からといって、隣接セルから到来する干渉電力が必ずしも弱いとは限らず、干渉源から遠く離れた基地局周辺に位置する端末装置において、わずかでも干渉が観測されるスロットは、隣接セルの基地局から大きな電力の信号が送信されているスロットであると考えることもできる。重み付けは、測定端末装置の位置の違いにより生じる測定干渉電力のレベル差を、基地局‐端末装置間距離に応じて補正する。
【０１１２】
平均干渉電力算出部３１８は、各端末装置が測定した複数の干渉電力情報を平均して、平均干渉電力値を算出し、算出した平均干渉電力値を各スロットの干渉電力情報としてスロット割り当て部１１５へ出力する。また、平均干渉電力算出部３１８は、各端末装置から通知される各スロットの干渉電力情報は、サンプル数が多くなるため次のような処理を行なう。平均干渉電力算出部３１８は、重み付け部３１７から入力された各スロットの干渉電力情報について、数値が大きい干渉電力情報の順にあらかじめ決められたサンプル数だけスロット毎に抽出する。次に、抽出した干渉電力情報をスロット毎に平均して、各スロットの干渉電力の算出を行なう。
【０１１３】
このように、平均干渉電力算出部３１８に入力される各スロットの干渉電力情報の中から、数値が大きいものだけを抽出することにより、隣接セルの基地局が信号（干渉）を送信しているにも関わらずシャドウイングや距離の影響によりその干渉を全く観測できない端末装置による測定結果を除外し、干渉電力が実際より低く見積もられることを回避することができる。
【０１１４】
なお、図５中、図２と同じ符号を付した構成要素は、同じ名称、同様の機能を有するため、説明を省略する。また、端末装置は、図３に示す端末装置と同様の構成で実現できる。
【０１１５】
第２の実施形態では、各端末装置は他端末装置が割り当てられているスロットにおいてもキャリアホールを利用した干渉の測定を行なうため、端末装置が割り当てられているすべてのスロットにおけるキャリアホールの設定状況をすべての端末装置が把握する必要がある。また、空きスロット（どの端末装置も割り当てられていないスロット）がある場合には、空きスロットの全サブキャリアについて干渉電力の測定を行なう（空きスロットにおける干渉電力の測定は従来と同様の手法）こととする。このため、端末装置は自分の割り当てスロット以外の割り当て状況もすべて把握しておく。ここで、第２の実施形態においても第１の実施形態と同様に、フレーム内の各スロットは同一のパターンでキャリアホールを設定するものとすると、各フレームの先頭の制御スロット中に各スロットの割り当て情報と共にキャリアホールパターンを示す情報を入れておくことにより、全スロットのキャリアホールパターンをすべての端末装置において簡単に把握することができる。また、フレーム内の各スロットにおいて異なるキャリアホールパターンを設定する場合にも、キャリアホールパターンを示す情報の情報量は増加するものの、制御スロットにそれらの情報を入れておくことにより、すべての端末装置において全スロットのキャリアホールの位置を把握することができる。このような構成とすることにより、フレーム内の全スロットの割り当て情報やキャリアホールパターンを含む制御データを全端末装置に向けて送信することができる。
【０１１６】
また、各端末装置はそれぞれが受信可能な周波数チャネル数を超えない範囲で可能な限りのスロットにおいて干渉電力を測定し、その測定結果をすべて基地局に報告することを前提とする。
【０１１７】
図６は、第２の実施形態に係る端末装置の受信電力測定部の構成の一例を示す図である。図６は、第２の実施形態の干渉電力を測定する機能を実現する受信電力測定部２０７の構成の一例を示す図であり、受信電力測定部２０７と、アップリンク送信機２１２、並びに、制御部２１４との関係を示す。受信電力測定部２０７は、測定部５０１、選択部５０２、自スロット処理部５０３、空きスロット処理部５０４、他スロット処理部５０５を有する。
【０１１８】
アップリンク送信機２１２は、図３と同様の機能を備える。制御部２１４は、制御データに含まれるスロット割り当て情報に基づいて、スロット種別を判断し、受信電力測定部２０７の選択部５０２へ出力する。スロット種別は、自己の端末装置が割り当てられている自スロット、他の端末装置が割り当てられている他スロット、端末装置が割り当てられていない空きスロットのいずれかを指定する。測定部５０１は、ＦＦＴ部２０６から入力される信号の受信電力を測定する。図６に示す例では、測定部５０１は、各サブキャリアの受信電力を測定し、測定した受信電力を、選択部５０２を経由して、自スロット処理部５０３、空きスロット処理部５０４、他スロット処理部５０５のいずれかに受け渡す構成例を示している。
【０１１９】
選択部５０２は、スロット種別を制御部２１４から入力し、入力したスロット種別に基づいて、自スロット処理部５０３、空きスロット処理部５０４、他スロット処理部５０５のいずれかの処理機能を選択し、選択した処理機能へ、測定部５０１が測定した受信電力を受け渡す。選択部５０２は、処理機能を選択するスイッチの役割を果たす。
【０１２０】
自スロット処理部５０３は、自スロットの信号を測定した受信電力および変調方式情報を用いて、受信電力情報、干渉電力情報とを算出し、アップリンク送信機２１２へ出力する。
【０１２１】
空きスロット処理部５０４、空きスロットを構成するサブキャリアそれぞれの受信電力を平均して受信電力情報を算出する。
【０１２２】
他スロット処理部５０５は、他スロットの信号を測定した受信電およびキャリアホールパターンを用いて、干渉電力情報を算出する。キャリアホールパターンは、端末装置に送信された制御データから取得され、他スロット処理部５０５へ入力される。
【０１２３】
このような構成を採ることにより、各スロットの干渉電力情報が複数の端末装置から報告される場合にも、測定端末装置の位置の違いによる測定結果のレベル差を補正し、スケジューリング等に用いる場合に有効な干渉電力の情報を算出することができる。
【０１２４】
次に、第２の実施形態の干渉電力測定の動作を説明する。図７は、第２の実施形態における干渉電力測定の動作の一例を示すフローチャートである。基地局において、キャリアホール設定部３１４は、キャリアホールに設定するサブキャリア番号を算出し、キャリアホールパターンを作成する（ステップＳ２００）。ここでは、第１の実施形態と同様に、（式１）を利用する。次に、切り替えスイッチ３１６は、作成されたキャリアホールパターンを、制御データが送信されるタイミングで、マルチプレックス部１００へ入力する。キャリアホールパターンは、制御データ、並びに、スロット割り当て情報とともに制御信号に変換され、基地局から端末装置へ送信される（ステップＳ２０１）。送信された制御信号は、セル内に存在する複数の端末装置に受信され、送信されたフレームにおけるキャリアホールパターンとスロット割り当て情報が通知される。
【０１２５】
各端末装置は、受信した制御信号から、キャリアホールパターンと、スロット割り当て情報とを取得する（ステップＳ２１０）。スロット割り当て情報から情報信号を復調すべきスロットおよび空きスロットを認識する。端末装置内では、スロット割り当て情報は、制御部２１４へ出力され、キャリアホールパターンは、受信電力測定部２０７へ出力される。制御部２１４は、スロット割り当て情報を入力し、スロット種別を判別する。
【０１２６】
一方、基地局では、制御信号の伝送に続いて、変調方式決定部１０３は、各サブキャリアの変調方式を決定し、キャリアホールパターンに基づくキャリアホールを設定して変調方式情報を作成する（ステップＳ２０２）。切り替えスイッチ３１６は、作成された変調方式情報を、情報データが送信されるタイミングで、マルチプレックス部１００へ入力する。各サブキャリアの変調方式情報は、情報データに付加され、変調方式情報が付加された情報データは、変調方式情報に基づいて変調され、情報信号に変換される（ステップＳ２０３）。情報信号は、時間チャネル毎に順次、基地局から端末装置へ送信される（ステップＳ２０４）。
【０１２７】
基地局から送信された情報信号は、端末装置において順次受信される。選択部５０２は、制御部２１４からスロット種別を入力し、スロット割り当て情報に基づいて、送信された情報信号のスロットが、自己の端末装置に割り当てられたスロットであるか否かを判断する（ステップＳ２１１）。自己の端末装置に割り当てられていないスロットであると判断した場合（ステップＳ２１１でＮＯ）、スロットが空きスロットかどうかの判断を行なう（ステップＳ２１２）。空きスロットである場合（ステップＳ２１２でＮＯ）、測定部５０１は、空きスロットのサブキャリア全部の受信電力（干渉電力）を測定し、空きスロット処理部５０４は、測定された各サブキャリアの干渉電力を平均して、空きスロットの干渉電力情報を算出する（Ｓ２１３）。一方、他の端末装置が割り当てられている（空きスロットでない）場合（ステップＳ２１２でＹＥＳ）、他スロット処理部５０５は、キャリアホールパターンを用いて、キャリアホールに設定されたサブキャリアを検出して、測定部５０１が測定した受信電力から、キャリアホールの受信電力（干渉電力）を取得する（ステップＳ２１４）。次に、他スロット処理部５０５は、測定した複数のキャリアホールの干渉電力を平均し、該当スロットにおける干渉電力情報を算出する（ステップＳ２１５）。算出された干渉電力情報は、アップリンク送信機２１２へ出力され、各端末装置から基地局へ通知される（ステップＳ２１６）。
【０１２８】
また、選択部５０２は、スロット種別に基づいて、自己の端末装置に割り当てられたスロットであると判断した場合（ステップＳ２１１でＹｅｓ）、端末装置は、受信した情報信号を復調する（ステップＳ２１８）。自スロット処理部５０３は、測定部５０１が測定したスロットの受信電力から、キャリアホールにおける受信電力（干渉電力）並びに各サブキャリアの受信電力を取得する（Ｓ２１９）。次に、自スロット処理部５０３は、測定した干渉電力を平均し該当スロットにおける干渉電力を算出する（ステップＳ２２０）。算出されたスロット毎の干渉電力情報と各サブキャリアの受信信号電力は、アップリンク送信機２１２へ出力され、各端末装置から基地局へ通知される（ステップＳ２２１）。なお、ステップＳ２１１〜ステップＳ２２１に示す処理は、端末装置において各周波数チャネルの各スロットにおいて繰り返し行われる。
【０１２９】
基地局は、各スロットにおける干渉電力情報（および各サブキャリアの受信信号電力）を各端末装置から取得する（ステップＳ２０５）。重み付け部３１７は、取得した複数の干渉電力情報へ基地局‐測定端末装置間距離に応じた重み付けを行なう（ステップＳ２０６）。平均干渉電力算出部３１８は、重み付けされた複数の干渉電力情報について、スロット毎に数値が大きいものから順番にＮサンプル（Ｎはあらかじめ決められた１以上の整数）を抽出し（ステップＳ２０７）、抽出されたサンプルについてスロット毎に平均を算出し、該当スロットの干渉電力情報とする（ステップＳ２０８）。算出された各スロットの干渉電力情報は、スロット割り当て部１１５へ出力され、隣接セルの影響を考慮したスケジューリング等へ使用する。
【０１３０】
このように、第２の実施形態では、それぞれ異なる場所に位置する複数の端末装置が各スロットにおける干渉電力を測定し、測定された干渉電力情報を基地局に通知する。つまり、各端末装置は、自己の端末装置が割り当てられていないスロットについても干渉電力の測定を行なう。これにより、各スロットにおける干渉電力をより正確に測定することが可能になる。第１の実施形態では、スロットに割り当てられている端末装置が、割り当てられたスロットにおける干渉電力を測定するため、１つのスロットについて、１つの端末装置が干渉電力を測定することになる。しかしながら、干渉電力は、測定を行なう端末装置の位置（干渉源からの距離）等に大きく依存するため、該当スロットが受ける干渉電力を正しく表しているとは限らないが、この実施形態によれば、このような問題が解消できることになる。
【０１３１】
なお、この実施形態で説明した重み付け方法は一例であり、これ以外にも様々な重み付け方法が考えられる。また、重み付けをしないで干渉電力情報の平均値を算出することも可能である。
【０１３２】
また、図６で示した受信電力測定部２０７の構成は一例であり、これに限られるわけではない。図６では、測定部５０１で測定した受信電力を、選択部５０２が各処理部（自スロット処理部５０３、空きスロット処理部５０４、他スロット処理部５０５のいずれか）に振り分ける例を示したが、測定部５０１は、各処理部それぞれに測定結果を出力する構成にしてもよい。また、各処理部が測定部５０１の機能を備えるようにしてもよく、その他の構成であってもかまわない。
【０１３３】
（第３の実施形態）
第３の実施形態では、基地局と端末装置との位置関係を考慮して干渉電力を測定する場合について説明する。
【０１３４】
図８は、第３の実施形態に係る基地局の概略構成の一例を示すブロック図である。基地局は、図５に示す基地局の構成から重み付け部３１７が除かれるとともに、各端末装置がセルサーチの際に受信した基地局ＩＤ（基地局識別子）をアップリンク通信により接続先の基地局へ報告するため、基地局ＩＤ情報を受信する機能を備える。
【０１３５】
アップリンク４１３は、無線受信部１１２が受信した信号を変換処理（復調、復号等）し、情報データと端末装置毎の干渉電力情報、端末装置側の受信電力情報、各端末装置の受信基地局ＩＤ情報を取り出す。
【０１３６】
平均干渉電力算出部４１８は、各端末装置が測定した複数の干渉電力情報と、各端末装置から報告された基地局ＩＤ(位置情報)とを入力し、複数の干渉電力情報を基地局ＩＤに対応づけて分類し、分類した干渉電力情報を平均して干渉電力値を算出する。すなわち、平均干渉電力算出部４１８は、基地局ＩＤが一致する端末装置同士を端末装置群として扱い、同一の端末装置群に属する端末装置から報告された干渉電力情報をスロット毎に平均する。これにより、ある方向から到来する干渉電力をスロット毎に算出することができる。
【０１３７】
なお、図８中、図２または図５と同じ符号を付した構成要素は、同じ名称、同様の機能を有するため、説明を省略する。
【０１３８】
また、この第３の実施形態における端末装置は、図３に示す第１の実施形態における端末装置とほぼ同じ構成により実現できる。但し、第３の実施形態では、各端末装置はセルサーチの際に受信した制御信号に含まれる基地局ＩＤを接続先の基地局へ通知するため、復調された基地局ＩＤを図３のアップリンク送信機２１２に入力し、基地局ＩＤ情報をアップリンク通信により基地局へ通知できる構成が必要となる。
【０１３９】
第３の実施形態では、セル内に分散する複数の端末装置を、基地局に対する方向によって分類する手段として、端末装置がセルサーチを行なう際に受信する制御信号に含まれる基地局ＩＤを利用するものとする。具体的には、セル内の端末装置のうち、セルサーチの際に受信した制御信号に含まれる基地局ＩＤが一致する端末装置を、同じ方向に位置する端末装置とし、それら同じ方向に位置する端末装置から報告された干渉電力を平均した結果を、それらの端末装置が位置する方向へ到来する干渉電力とする。これは、基地局から見て同じ方向に位置する端末装置では、セルサーチの際に同じ隣接基地局からの制御信号を受信することが多くなり、受信した基地局ＩＤが一致する端末装置は同じ方向に位置する端末装置であると判断することができることによる。また、この実施形態においても上記実施形態と同様、端末装置が割り当てられているスロットにおいては既知のパターンによるキャリアホールを設定し、干渉電力の測定は設定されたキャリアホールにおいて行なうものとする。
【０１４０】
次に、第３の実施形態の干渉電力測定の動作を説明する。図９は、第２の実施形態における干渉電力測定の動作の一例を示すフローチャートである。端末装置は、通信の開始に当たり、セルサーチを行なう（ステップＳ３１０）。一般に、セルサーチは、複数の基地局から送信される制御信号を受信し、接続すべき基地局、すなわち、最も高い受信電力が得られた信号を送信した基地局を探す処理である。セルサーチ後、端末装置は接続要求とともにセルサーチの間に受信したすべての制御信号に含まれていた送信元基地局ＩＤを、接続すべき基地局へ通知する（ステップＳ３１１）。
【０１４１】
基地局は、端末装置から接続要求と基地局ＩＤとを受信する（ステップＳ３００）。基地局において、スロット割り当て部１１５は、接続要求を通知した端末装置に対してスロットの割り当てを行なう（ステップＳ３０１）。スロット割り当ては、任意の手法でよいものとする。割り当てスロットの決定後、キャリアホール設定部３１４は、キャリアホールパターンを作成する（ステップＳ３０２）。ここでは、第１の実施形態と同様、（式１）を利用してキャリアホールを設定することを前提とする。次に、スロットの割り当て情報をキャリアホールパターンと共に、制御信号としてセル内の全端末装置に送信する（ステップＳ３０３）。次いで、キャリアホールを設定し、適応変調を行ったデータ信号を送信する（ステップＳ３０４〜ステップＳ３０６）。ステップＳ３０３〜ステップＳ３０６の各ステップは、図７のステップＳ２０１〜ステップＳ２０４の各ステップと同様の動作を実施する。
【０１４２】
端末装置は、ステップＳ３０３で送信された制御信号を受信し、キャリアホールパターンとスロット割り当て情報とを取得する（ステップＳ３１２）。ステップＳ３１２のステップは、図７のステップＳ２１０のステップと同様の処理を実施する。また、ステップＳ３０６で送信されたデータ信号に対して、端末装置は、図７のステップＳ２１１〜ステップＳ２２１の各ステップを実施する（ステップＳ３１３）。これらのステップにより、端末装置は、キャリアホールまたは空きスロットにて測定した干渉電力情報を基地局へ通知する。
【０１４３】
基地局は、各端末装置における干渉電力情報と受信電力情報の測定結果を受信し、先に通知された基地局ＩＤが一致する端末装置を選択し、それらの端末装置から報告された干渉電力の平均値を算出する（ステップＳ３０８）。このような処理を行なうことにより、セルサーチの際に受信する信号の送信元基地局ＩＤが一致する端末装置、つまり基地局から見て同じような方向に位置する端末装置から報告される干渉電力をスロット毎に算出することが可能となり、隣接セルから到来する干渉電力を方向毎に求めることができる。なお、図９に示す制御フローは、新規に接続を要求する端末装置とそれに対応する基地局について接続後の最初のフレームにおける制御を示しており、接続済みの端末装置に対してはステップＳ３０２〜ステップＳ３０８、ステップＳ３１２〜ステップＳ３１３がフレーム毎に繰り返されることとなる。
【０１４４】
このように、第３の実施形態では、接続先の基地局から見て同じ方向に位置する端末装置から報告された干渉電力情報をまとめ、それぞれの方向から到来するセル間干渉の電力を算出することができる。これによって、隣接セルから到来する干渉の到来方向を考慮したスケジューリング等を行なうために、どの方向からどれくらいの干渉が到来するかを把握することができる。従って、基地局‐端末装置間の距離だけでなく測定端末装置が位置する方向にも考慮した干渉電力を測定することができる。
【０１４５】
なお、基地局において指向性を有するセクタアンテナが用いられ、セル内がセクタ化されている場合に、同一セクタに収容されている複数の端末装置は基地局から見て同じような方向に位置するものと考えられる。そこで、平均干渉電力算出部４１８は、同じセクタに配置される端末装置から受信した干渉電力情報をスロット毎に平均する。このようにして、各セクタに収容されている端末装置から報告される干渉電力情報をセクタ毎、スロット毎に平均することにより、ある程度まとまった方向から到来する干渉電力の算出を行なうこともできる。
【０１４６】
また、図８に示した基地局の概略構成へ、図５に示した重み付け部３１７を追加し、第２の実施形態に示したような重み付けを行なうことにより、より精度良く干渉電力を求めることが可能となる。
【０１４７】
（第４の実施形態）
第４の実施形態では、あらかじめ決められたパターンによるキャリアホールを設定するのではなく、端末装置における受信電力が著しく低く、受信状況が悪いと判断されるサブキャリアを基地局にてキャリアホールに設定し、そのキャリアホールにおける干渉電力を端末装置にて測定する構成とする。
【０１４８】
基地局は、図２に示した構成、端末装置は、図３に示した構成を用いることができるが、次の点が異なる。基地局は、キャリアホール設定部１１４の機能を使用しない。また、変調方式決定部１０３は、受信電力情報を用いて、キャリアホールに設定するサブキャリアを決定し、キャリアホールに設定したサブキャリアを特定できる記号等を変調方式情報に挿入する。記号等は、予め端末装置との間で取り決めたものを用い、キャリアホールであることが特定できればよい。また、変調方式決定部１０３は、キャリアホールパターンの入力を必要としない。端末装置の受信電力測定部２０７は、変調方式情報に挿入された記号等よって、キャリアホールに設定されたサブキャリアの位置を特定する。
【０１４９】
次に、第４の実施形態の干渉電力測定の動作を説明する。図１０は、第１の実施形態における干渉電力測定の動作の一例を示すフローチャートである。基地局は、制御信号を送信する（ステップＳ４００）。制御信号は、全サブキャリア共通の変調方式によって変調された信号である。基地局の変調方式決定部１０３は、端末装置から通知された各サブキャリアの受信状況を基に、各サブキャリアの変調方式を決定する。この時、変調方式決定部１０３は、端末装置における受信状況が著しく悪い（受信電力が著しく低い）サブキャリアを、キャリアホールとする（ステップＳ４０１）。
【０１５０】
このようにして、変調方式決定部１０３は、キャリアホールを記号等によって特定するキャリアホール情報を含む変調方式情報を作成する。次に、決められた変調方式により各サブキャリアの変調が行われ（ステップＳ４０２）、各サブキャリアの変調方式を受信側へ通知するために必要な変調情報が付加されたデータが送信される（ステップＳ４０３）。ステップＳ４０４、ステップＳ４１１〜ステップＳ４１５の各ステップは、図４のステップＳ１０５、ステップＳ１１１〜ステップＳ１１５の各ステップそれぞれと同様である。端末装置においてキャリアホールを利用した干渉電力の測定、各サブキャリアの受信電力の測定が行われ、その結果が基地局へ通知される。
【０１５１】
このように、第４の実施形態と第１の実施形態の違いは、第１の実施形態では、キャリアホール設定部１１４が、図４のステップＳ１００に示すように、（式１）により得られるフレーム毎に決められたキャリアホールパターンを作成するのに対し、第４の実施形態では伝搬路状況が著しく悪いサブキャリアを干渉電力測定用のキャリアホールとするため、キャリアホールに設定されるサブキャリアが適応的に変わることである。
【０１５２】
このように、第４の実施形態では、受信状況が著しく悪いと判断されるサブキャリアをキャリアホールに設定するが、周波数選択性フェージング環境下の１つの周波数チャネルにおいて受信状況が著しく悪くなるサブキャリア数はさほど多くなく、さらに、ある程度まとまって分布するため、設定されたキャリアホールにおける干渉電力を測定しても、該当スロットが平均的に受ける干渉の影響を正しく評価することができないことが考えられる。しかし、第２の実施形態のように、セル内の異なる地点に位置する複数の端末装置による測定結果をあわせて評価することにより、該当スロットが隣接セルから受ける干渉電力をより正確に算出することが可能となる。
【０１５３】
また、先に述べた第１の実施形態では所定のパターンに従ってキャリアホールを設定するため、受信状況の良いサブキャリアがキャリアホールに設定されることも多く、その場合には１シンボルで送信することができるデータ量が減少するが、第２の実施形態では受信状況の著しく悪いサブキャリア、つまり、誤りの原因となる可能性が高いサブキャリアをキャリアホールとし、受信状況の良いサブキャリアについてはデータ伝送に用いられることから、誤りを軽減しつつ１シンボルで送信することができるデータ量を維持することもできる。
【０１５４】
（第５の実施形態）
第５の実施形態では、キャリアホールを設定せずに干渉電力を測定する手法について示す。一般に、到来する信号に対して同期が確立できている場合のＦＦＴの出力信号は、送信時に信号を割り当てた各サブキャリア位置に現れるが、同期が確立できていない場合のＦＦＴの出力信号は受信機が観測できる全帯域（ＦＦＴポイント全て）に広がってしまう。つまり、接続先の基地局から到来する希望信号と、隣接セルの基地局から到来する干渉信号が同期していない場合には、受信機は希望信号に同期して受信動作を行なうため、干渉信号は受信機が観測できる全帯域に広がって観測されることとなる。このような性質に基づき、第５の実施形態では、希望信号と干渉信号の受信タイミングがずれている場合について、帯域内で情報信号の伝送に用いられないサブキャリア位置（周波数領域のサンプル点）において干渉電力を測定するものとする。
【０１５５】
第５の実施形態では、基地局は、図２に示した構成、端末装置は、図３に示した構成を用いることができるが、次の点が異なる。キャリアホール設定部１１４の機能を使用しない。また、変調方式決定部１０３は、キャリアホールパターンの入力を必要とせず、キャリアホールを示す情報を端末側へ通知する必要がない。従って、基地局では、少なくとも、無線送信部１１０は、データを割り当て得る複数のサブキャリアを用いて端末装置へデータを送信し、無線受信部１１２は、端末装置が、観測できる全帯域におけるサンプル点のうち予めデータを割り当てないことが決められているサンプル点で測定した隣接セルからの干渉電力を示す干渉電力情報を、端末装置から受信する、という機能を備えていればよい。
【０１５６】
また、端末装置の受信電力測定部２０７は、予め、定められている伝送に用いられないサブキャリア位置（サンプル点）における電力を測って行なう。すなわち、受信電力測定部２０７は、観測できる全帯域におけるサンプル点のうち予めデータを割り当てないことが決められているサンプル点で、隣接セルからの受信電力を測定し、測定した受信電力の平均値を求める。また、無線送信部２１３は、受信電力の平均値を干渉電力情報として基地局へ送信する。例えば、図３では、ＦＦＴポイント数が１０２４であるのに対し、情報伝送に用いられるサブキャリア数は７６８（６４×１２）であり、伝送に用いられないサンプルが１０２４−７６８＝２５６だけあることとなり、本実施例ではこの２５６のサンプル点において干渉電力の測定を行なう。
【０１５７】
このような手法は、各セルの基地局が非同期であるシステムではすべての端末装置において用いることができるが、隣接セルと同期しているシステムでは、すべての端末装置において用いることはできない。隣接セルと同期しているシステムにおいては、基地局間が同期しているにも関わらず希望信号と干渉信号の受信タイミングにずれが生じる端末装置においてのみ干渉電力の測定を行なうことができるが、ここで、このような干渉電力の測定が可能となる端末装置の条件について簡単に説明する。
【０１５８】
一般に、すべてのセルの基地局が完全に同期している場合に、接続先の基地局と干渉源となる隣接基地局の中間地点付近に位置する端末装置には、ほぼ同時に希望信号と干渉信号が到来する。しかし、端末装置が接続先の基地局周辺に位置し干渉源から遠く離れている場合には、希望信号と干渉信号は時間的にずれて到来するため、同期して復調（ＦＦＴ）を行なうことができない。従って、本実施例における干渉電力の測定法を、接続先の基地局周辺に位置する端末装置において用いることにより、干渉電力の測定が精度良く行える。
【０１５９】
このような基地局と端末装置の距離を判断する基準のひとつとしては、送信電力制御を行なう際の送信電力値がある。例えば、アップリンク通信に必要な送信電力と、あらかじめ決められた閾値の比較を行ない、必要な送信電力があらかじめ決められた閾値より小さいと判断された場合には、該当端末装置は基地局から遠くない地点に位置するものと考えられるため、干渉電力の測定を行ない、その結果を基地局へ報告する。逆に、送信電力が閾値より大きいと判断された場合には、該当端末装置は基地局から離れた地点（セルエッジ付近）に位置するものと考えられるため、干渉電力の測定は行わないこととなる。
【０１６０】
また別の判断基準として、他セルから到来する干渉信号の伝搬路が観測できるか否かということが挙げられる。これは、他セルから到来する信号の伝搬路変動が観測できる場合には、端末装置における受信タイミングと干渉信号が到来するタイミングが一致しているものと考えられるためであり、このような端末装置においては干渉信号の測定を行わないよう制御する。
【０１６１】
このような条件を満たす端末装置において、常に情報伝送に用いられないサブキャリア位置（サンプル点）における受信電力を測定することにより、隣接セルから到来する干渉信号の電力を測定することが可能となる。そして、それらの端末装置から報告された干渉電力を第２の実施形態や第３の実施形態に示す手順により基地局において平均することにより、スケジューリングを行なう際に有効な干渉電力の算出を行なうことができる。
【図面の簡単な説明】
【０１６２】
【図１】本発明の実施形態に係る基地局がキャリアホールを設定したシンボル構成の一例を示す図である。
【図２】第１の実施形態に係る基地局の概略構成の一例を示すブロック図である。
【図３】第１の実施形態に係る端末装置の概略構成の一例を示すブロック図である。
【図４】第１の実施形態における干渉電力測定の動作の一例を示すフローチャートである。
【図５】第２の実施形態に係る基地局の概略構成の一例を示すブロック図である。
【図６】第２の実施形態に係る端末装置の受信電力測定部の構成の一例を示すブロック図である。
【図７】第２の実施形態における干渉電力測定の動作の一例を示すフローチャートである。
【図８】第３の実施形態に係る基地局の概略構成の一例を示すブロック図である。
【図９】第３の実施形態における干渉電力測定の動作の一例を示すフローチャートである。
【図１０】第４の実施形態における干渉電力測定の動作の一例を示すフローチャートである。
【図１１】ＯＦＤＭ／（ＴＤＭＡ、ＦＤＭＡ）２次元のフレーム構成の一例を示す図である。
【図１２】ＯＦＤＭ／（ＴＤＭＡ、ＦＤＭＡ）に用いる送信回路の概略構成を示すブロック図である。
【図１３】ＯＦＤＭ／（ＴＤＭＡ、ＦＤＭＡ）に用いる受信回路の概略構成を示すブロック図である。
【図１４】特許文献１に開示されているセル構成を示す図である。
【符号の説明】
【０１６３】
１００  マルチプレックス部
１０１‐ａ〜１０１‐ｌ  誤り訂正符号部
１０２‐ａ〜１０２‐ｌ  シリアル／パラレル変換部（Ｓ／Ｐ変換部）
１０３  変調方式決定部
１０４  マッピング部
１０５  送信電力制御部
１０６  ＩＦＦＴ部
１０７  パラレル／シリアル変換部（Ｐ／Ｓ変換部）
１０８  ガードインターバル挿入部（ＧＩ挿入部）
１０９  デジタル／アナログ変換部（Ｄ／Ａ変換部）
１１０  無線送信部（送信部）
１１１  アンテナ部
１１２  無線受信部（受信部）
１１３、４１３  アップリンク受信機
１１４、３１４  キャリアホール設定部
１１５  スロット割り当て部
２００  アンテナ部
２０１  無線受信部（端末装置側受信部）
２０２  アナログ／デジタル変換部（Ａ／Ｄ変換部）
２０３  同期部
２０４  ガードインターバル除去部（ＧＩ除去部）
２０５  シリアル／パラレル変換部（Ｓ／Ｐ変換部）
２０６  ＦＦＴ部
２０７  受信電力測定部
２０８  伝送路推定デマッピング部
２０９‐ａ〜２０９‐ｌ  パラレル／シリアル変換部（Ｐ／Ｓ変換部）
２１０‐ａ〜２１０‐ｌ  誤り訂正復号部
２１１  デマルチプレックス部
２１２  アップリンク送信機
２１３  無線送信部（端末装置側送信部）
２１４  制御部
３１６  切り替えスイッチ
３１７  重み付け部
３１８、４１８  平均干渉電力算出部
５０１  測定部
５０２  選択部
５０３  自スロット処理部
５０４  空きスロット処理部
５０５  他スロット処理部
【図１】
2010193526.tif 000003
【図２】
2010193526.tif 000004
【図３】
2010193526.tif 000005
【図４】
2010193526.tif 000006
【図５】
2010193526.tif 000007
【図６】
2010193526.tif 000008
【図７】
2010193526.tif 000009
【図８】
2010193526.tif 000010
【図９】
2010193526.tif 000011
【図１０】
2010193526.tif 000012
【図１１】
2010193526.tif 000013
【図１２】
2010193526.tif 000014
【図１３】
2010193526.tif 000015
【図１４】
2010193526.tif 000016